(57)【特許請求の範囲】
【請求項１】
洗濯機本体と、前記洗濯機本体の上部を覆うように設けられた筐体カバーと、前記筐体カバーの略中央に設けた衣類投入口と、後方にて一端を軸支持部により回動自在に軸支され前記衣類投入口を開閉自在に覆う蓋体とを備え、前記蓋体には、その表面より下方へ凹として底壁部を形成するとともに前方側の側面を開口した第１の凹状部を設け、前記第１の凹状部の前方側には、後方側の側面が前記第１の凹状部の開口した前方側の側面と連通し、かつ、下方を開口部とし前記蓋体の裏面を底部として上方に凹となるように側面を形成した第２の凹状部を設け、前記第２の凹状部の左右方向の幅は前記第１の凹状部の左右方向の幅より小さくするとともに、前記底壁部は前記第１の凹状部の後方表面から前記第１の凹状部の開口した前方側の側面の下端に向けて下方に傾斜し、前記第２の凹状部の開口部を塞ぐとともに前記傾斜した底壁部に対応した傾斜部分を有する閉塞体を前記第１の凹状部の上方側から取り付けることで、前記第２凹状部の底部を把手部として構成した洗濯機。
【発明の詳細な説明】
【０００１】
【発明の属する技術分野】
本発明は、衣類投入口などの開口部を開閉自在に覆う蓋を有する洗濯機に関するものである。
【０００２】
【従来の技術】
従来、この種の蓋を有する洗濯機は図５および図６に示すように構成していた。以下、その構成について説明する。
【０００３】
図５および図６に示すように、洗濯機本体１の上方に洗濯機本体１を覆うように筐体カバー２を搭載し、その筐体カバー２の略中央部に、後方にて一端を軸支部３により上方へ回動自在に軸支し、この軸支部３と略平行な軸線４に沿って折りたたみ可能に連結した２つの蓋体５ａ、５ｂを開閉自在に設けている。
【０００４】
一方の蓋体５ａの端部に、軸線４に沿って片持ち支持される複数個の支持軸６をほぼ両端７ａ、７ｂから略等間隔に一体形成し、他方の蓋体５ｂに支持軸６と対応する位置に軸受け部８を一体形成している。これら２枚の蓋体５ａ、５ｂの連結方法は支持軸６を軸受け部８に貫通させ、回動自在としている。
【０００５】
また、前方の蓋体５ａの後方に、使用者が蓋体５を開閉するときに持つ把手部を設けている。この把手部は、蓋体５ａの表面より第１の凹状部９ａを形成するとともに、蓋体５ａの裏面より第２の凹状部９ｂを第１の凹状部９ａに連通して形成し、第２の凹状部９ｂの開口部を裏側から閉塞体１０にて閉じることにより把手部を構成している。
【０００６】
【発明が解決しようとする課題】
このような従来の構成では、蓋体９ａに閉塞体１０を取り付けるとき、第１の凹状部９ａと第２の凹状部９ｂの大きさがほぼ同じで、形状が略長方形の場合、閉塞体１０を表面側から取付けるには、第１の凹状部９ａと第２の凹状部９ｂの連通部を閉塞体１０を通さなければならないが、形状上、困難なため、閉塞体１０を蓋体９ａ裏面側から取り付ける。そのためには、蓋体９ａを裏返す必要があり、時間の損失等作業効率が低下するだけでなく、蓋体５ａ、５ｂに傷をつけてしまうという問題を有していた。
【０００７】
本発明は上記従来の課題を解決するもので、蓋体に閉塞体を表面側から取り付けて把手部を構成できるようにし、組立時の作業効率を向上することを目的としている。
【０００８】
【課題を解決するための手段】
本発明は上記目的を達成するために、洗濯機本体と、洗濯機本体の上部を覆うように設けられた筐体カバーと、筐体カバーの略中央に設けた衣類投入口と、後方にて一端を軸支持部により回動自在に軸支され衣類投入口を開閉自在に覆う蓋体とを備え、蓋体には、その表面より下方へ凹として底壁部を形成するとともに前方側の側面を開口した第１の凹状部を設け、第１の凹状部の前方側には、後方側の側面が第１の凹状部の開口した前方側の側面と連通し、かつ、下方を開口部とし蓋体の裏面を底部として上方に凹となるように側面を形成した第２の凹状部を設け、第２の凹状部の左右方向の幅は第１の凹状部の左右方向の幅より小さくするとともに、底壁部は第１の凹状部の後方表面から第１の凹状部の開口した前方側の側面の下端に向けて下方に傾斜し、第２の凹状部の開口部を塞ぐとともに傾斜した底壁部に対応した傾斜部分を有する閉塞体を第１の凹状部の上方側から取り付けることで、第２凹状部の底部を把手部として構成したものである。
【０００９】
これにより、蓋体に閉塞体を表面側から取り付けて把手部を構成することができ、組立時の作業効率を向上することができる。
【００１０】
【発明の実施の形態】
本発明の請求項１に記載の発明は、洗濯機本体と、前記洗濯機本体の上部を覆うように設けられた筐体カバーと、前記筐体カバーの略中央に設けた衣類投入口と、後方にて一端を軸支持部により回動自在に軸支され前記衣類投入口を開閉自在に覆う蓋体とを備え、前記蓋体には、その表面より下方へ凹として底壁部を形成するとともに前方側の側面を開口した第１の凹状部を設け、前記第１の凹状部の前方側には、後方側の側面が前記第１の凹状部の開口した前方側の側面と連通し、かつ、下方を開口部とし前記蓋体の裏面を底部として上方に凹となるように側面を形成した第２の凹状部を設け、前記第２の凹状部の左右方向の幅は前記第１の凹状部の左右方向の幅より小さくするとともに、前記底壁部は前記第１の凹状部の後方表面から前記第１の凹状部の開口した前方側の側面の下端に向けて下方に傾斜し、前記第２の凹状部の開口部を塞ぐとともに前記傾斜した底壁部に対応した傾斜部分を有する閉塞体を前記第１の凹状部の上方側から取り付けることで、前記第２凹状部の底部を把手部として構成したものであり、蓋体をひっくり返すことなく、蓋体に閉塞体を表面側から取り付けて把手部を構成することができ、組立時の作業効率を向上することができ、また、閉塞体と底壁部との段差を無くすることができ、使用者の爪などの侵入を防ぐことができるため安全性を向上することができ、また、境界がないためほこり等の侵入も防ぐことができ、さらに、閉塞体を取り付けるときに緩斜面がガイドとなり、作業性を向上することができる。
【００１１】
【実施例】
以下、本発明の実施例について、図面を参照しながら説明する。なお、従来例と同じ構成のものは同一符号を付して説明を省略する。
【００１２】
（実施例１）
図１および図２に示すように、洗濯機本体１は、上部を覆うように筐体カバー２を設け、筐体カバー２の略中央に設けた衣類投入口（図示せず）などの開口部を覆うように、後方にて一端を軸支部３により上方へ回動自在に軸支し、軸支部３と略平行な軸線４に沿って折りたたみ可能に連結した２つの蓋体１１ａ、１１ｂを設けている。
【００１３】
蓋体１１ａの表面より第１の凹状部１２を形成するとともに、蓋体１１ａの裏面より第２の凹状部１３を第１の凹状部１２と互いの側面が連通するように形成している。ここで、第２の凹状部１３を第１の凹状部１２より小さくして、略三角形または略台形形状に構成し、第２の凹状部１３の開口部１４を塞ぐように、略三角形または略台形形状に形成した閉塞体１５を蓋体１１ａの表面側から挿入して取り付け、把手部１６を構成している。
【００１４】
上記構成において作用を説明する。第２の凹状部１３を第１の凹状部１２より小さくして、略三角形または略台形形状に構成し、第２の凹状部１３の開口部１４を塞ぐ閉塞体１５も略三角形状に形成することで、閉塞体１５を蓋体１１ａの表面側から、図１の矢印方向に挿入して取り付けて把手部１６を構成することができ、蓋体１１ａを裏返す必要がなくなるため、作業の効率を向上することができ、さらに、蓋体１１ａの表面に傷が付くのを防ぐことができる。
【００１５】
（実施例２）
図３に示すように、蓋体１７ａは、上記実施例１と同様に、軸支部と略平行な軸線に沿って折りたたみ可能に、他の蓋体（図示せず）に連結し、筐体カバーの略中央に設けた衣類投入口などの開口部を覆うもので、表面より第１の凹状部１８を形成するとともに、蓋体１７ａの裏面より第２の凹状部１９を第１の凹状部１８と互いの側面が連通するように形成している。
【００１６】
ここで、第２の凹状部１９を第１の凹状部１８より小さくして、略三角形または略台形形状に構成し、第２の凹状部１９の開口部２０を塞ぐように構成した閉塞体２１を蓋体１７ａの表面側から挿入して取り付け、把手部２２を構成している。ここで、閉塞体２１は第１の凹状部１８の底壁部を覆うように構成している。他の構成は上記実施例１と同じである。
【００１７】
上記構成において作用を説明する。第２の凹状部１９を第１の凹状部１８より小さくして、略三角形または略台形形状に構成し、第２の凹状部１９の開口部２０を塞ぐ閉塞体２１を第１の凹状部１８の底壁部を覆うように構成することで、閉塞体２１を蓋体１７ａの表面側から、図３の矢印方向に挿入して取り付けることができ、蓋体１７ａを裏返す必要がなくなるため、作業の効率を向上することができ、さらに、蓋体１７ａの表面に傷が付くのを防ぐことができる。
【００１８】
また、閉塞体２１により第１の凹状部１８の底壁部と閉塞体２１との段差がなくなり、閉塞体２１の表面が把手部２２の底壁部となるため、使用者の爪等の侵入を防止でき、爪のはがれや割れ等を防ぐことができ、使用者の安全性を向上することができる。また、溝がないため長期の使用により溜まるほこりの蓄積も防止することができる。
【００１９】
（実施例３）
図４に示すように、蓋体２３ａは、上記実施例１と同様に、軸支部と略平行な軸線に沿って折りたたみ可能に、他の蓋体（図示せず）に連結し、筐体カバーの略中央に設けた衣類投入口などの開口部を覆うもので、表面より第１の凹状部２４を形成するとともに、蓋体２３ａの裏面より第２の凹状部２５を第１の凹状部２４と互いの側面が連通するように形成している。
【００２０】
ここで、第２の凹状部２５を第１の凹状部２４より小さくして、略三角形または略台形形状に構成し、第２の凹状部２５の開口部２６を塞ぐように構成した閉塞体２７を蓋体２３ａの表面側から挿入して取り付け、把手部２８を構成している。ここで、第１の凹状部２４は、その底壁部に緩斜面２９を構成している。他の構成は上記実施例１と同じである。
【００２１】
上記構成において作用を説明する。第２の凹状部２５を第１の凹状部２４より小さくして、略三角形または略台形形状に構成し、第２の凹状部２５の開口部２６を塞ぐ閉塞体２７を蓋体２３ａの表面側から、図４の矢印方向に挿入して取り付けることができ、蓋体２３ａを裏返す必要がなくなるため、作業の効率を向上することができ、さらに、蓋体２３ａの表面に傷が付くのを防ぐことができる。
【００２２】
また、第１の凹状部２４の底壁部に緩斜面２９を構成しているので、作業者が閉塞体２７を蓋体２３ａに取り付けるとき、緩斜面２９が閉塞体２７のガイドとなるため、閉塞体２７の蓋体２３ａへの取り付け作業が容易になり、作業の効率を向上することができる。
【００２３】
【発明の効果】
以上のように本発明の請求項１に記載の発明によれば、洗濯機本体と、前記洗濯機本体の上部を覆うように設けられた筐体カバーと、前記筐体カバーの略中央に設けた衣類投入口と、後方にて一端を軸支持部により回動自在に軸支され前記衣類投入口を開閉自在に覆う蓋体とを備え、前記蓋体には、その表面より下方へ凹として底壁部を形成するとともに前方側の側面を開口した第１の凹状部を設け、前記第１の凹状部の前方側には、後方側の側面が前記第１の凹状部の開口した前方側の側面と連通し、かつ、下方を開口部とし前記蓋体の裏面を底部として上方に凹となるように側面を形成した第２の凹状部を設け、前記第２の凹状部の左右方向の幅は前記第１の凹状部の左右方向の幅より小さくするとともに、前記底壁部は前記第１の凹状部の後方表面から前記第１の凹状部の開口した前方側の側面の下端に向けて下方に傾斜し、前記第２の凹状部の開口部を塞ぐとともに前記傾斜した底壁部に対応した傾斜部分を有する閉塞体を前記第１の凹状部の上方側から取り付けることで、前記第２凹状部の底部を把手部として構成したから、蓋体をひっくり返すことなく、蓋体に閉塞体を表面側から取り付けて把手部を構成することができ、組立時の作業効率を向上することができ、また、閉塞体と底壁部との段差をなくすることができ、使用者の爪などの侵入を防ぐことができるため安全性を向上することができ、また、長期の使用により溜まるほこりの蓄積も防止することができ、さらに、閉塞体を取り付けるときに緩斜面がガイドとなり、閉塞体取り付け時に容易に装着することができるため、作業効率を向上することができる。
【図面の簡単な説明】
【図１】  （ａ）本発明の第１の実施例の洗濯機等の蓋体の要部分解平面図
（ｂ）同洗濯機等の蓋体の要部断面図
【図２】  同洗濯機等の蓋体を備えた洗濯機の一部切欠した斜視図
【図３】  （ａ）本発明の第２の実施例の洗濯機等の蓋体の要部分解平面図
（ｂ）同洗濯機等の蓋体の要部断面図
【図４】  （ａ）本発明の第３の実施例の洗濯機等の蓋体の要部分解平面図
（ｂ）同洗濯機等の蓋体の要部断面図
【図５】  従来の洗濯機等の蓋体を備えた洗濯機の一部切欠した斜視図
【図６】  （ａ）同洗濯機等の蓋体の下面図
（ｂ）同洗濯機等の蓋体の分解側面図
【符号の説明】
１１ａ  蓋体
１１ｂ  蓋体
１２  第１の凹状部
１３  第２の凹状部
１４  開口部
１５  閉塞体
１６  把手部
【図１】
0004003518.tif 000002
【図２】
0004003518.tif 000003
【図３】
0004003518.tif 000004
【図４】
0004003518.tif 000005
【図５】
0004003518.tif 000006
【図６】
0004003518.tif 000007